(57)【要約】【課題】台タイヤを作製する際に、トレッドの溝底にバフラインがかかることを確実に防止することのできる構成のタイヤと、タイヤの更生方法を提供する。【解決手段】タイヤ１０のショルダー部１７に開口するラグ溝１８の開口端１８ｋの位置を、トレッド踏面とのタイヤ径方向距離が最短になるベルト外面位置よりも２〜５ｍｍタイヤ径方向外側にある点Ｐと、タイヤセンター部における最外層のベルト１３ｄよりも１〜５ｍｍタイヤ径方向外側にある点Ｑとを通り、かつ、トレッドのタイヤセンター側に設けられた周方向溝１６ａの溝底１６ｋよりもタイヤ径方向内側を通る曲線Ｃと、タイヤ１０の表面との交点Ｋよりもタイヤ径方向外側に設けたので、トレッド１４の摩耗によりタイヤ１０の更生が必要になった場合には、前記曲線Ｃをバフラインとして摩耗したトレッド１４をバフ研磨して取り除いて台タイヤを作製するようにした。【選択図】図１
2011025853.tif 000002
【特許請求の範囲】
【請求項１】
コードをゴムで被覆して成る少なくとも一層のベルトを備えたベルト層と、
このベルトのタイヤ径方向外側に設けられた、ショルダー部に開口するラグ溝を含む複数本の溝が形成されているトレッドとを備えたタイヤであって、
タイヤ幅方向断面における前記ラグ溝の開口端が、
トレッド踏面とのタイヤ径方向距離が最短になるベルト外面位置よりも２〜５ｍｍタイヤ径方向外側の点と、タイヤセンター部における最外層のベルトの位置よりも１〜５ｍｍタイヤ径方向外側の点とを通る単一の曲率を有し、かつ、前記トレッドのタイヤセンター側に設けられた溝の溝底よりもタイヤ径方向内側を通る曲線Ｃとタイヤ表面との交点よりもタイヤ径方向外側に設けられたことを特徴とするタイヤ。
【請求項２】
請求項１に記載のタイヤのトレッドが摩耗した際に、この摩耗したタイヤを更生する方法であって、
前記曲線Ｃをバフラインとして設定し、前記摩耗したトレッドを前記バフラインまで削ってトレッド取付け面を有する台タイヤを形成する工程と、
前記トレッド取付け面に加硫または未加硫のトレッドゴムを取付ける工程と、
前記トレッドゴムが取付けられた台タイヤを加硫する工程とを備えたことを特徴とするタイヤの更生方法。
【発明の詳細な説明】
【技術分野】
【０００１】
本発明は、更生が容易なタイヤの構造とタイヤの更生方法に関するものである。
【背景技術】
【０００２】
トレッドが消耗した中古タイヤを更生する方法としては、中古タイヤの表面を削り取った後、更にバフマシーン等でバフ研磨してトレッドを除去して台タイヤを作製し、この台タイヤに新たにトレッドを貼り付けて更生タイヤを製造するリトレッド法がある。
リトレッド時のバフ研磨後の形状を表すバフラインは、タイヤ幅方向断面で見たときに、タイヤセンター部のベルトのうちの最外層のベルトのタイヤ径方向１ｍｍ〜５ｍｍ外側の位置から、最外層のベルトよりも１ｍｍ〜５ｍｍタイヤ径方向に離れた箇所を通って、タイヤショルダー部のラグ溝を避けるような単一の曲率（単一Ｒ）を有する曲線とするのが一般的である。
更に、ショルダー部に開口するラグ溝がバフ研磨後に残っている場合には、これらの残溝を埋めて補修するスカイブ処理を施す。
【０００３】
前記バフ研磨は、予め設定したバフラインに沿って行われるが、一般のタイヤでは、バフがけの終了位置が表示されていないため、トレッドの除去量がタイヤにより不均一になりやすく、場合によっては、部分的に削りすぎて、ベルト外面の一部が露出してしまうことがあった。
また、バフラインのタイヤ径方向外側端部がショルダー部に設けられたラグ溝の開口部の底部よりも上に来ている場合には、溝を除去してフラットな面を出すために、上記溝を除去する処理を行う必要があるが、その結果、リトレッド後のタイヤのトレッド幅が新品タイヤよりも狭くなってしまい、新品タイヤと同等の性能を確保することが困難であった。
【０００４】
そこで、本願出願人は、この問題を解決するため、更生が容易なタイヤとして、ベルトのトレッド踏面とのタイヤ径方向距離が最短になるベルト外面位置からタイヤ径方向外側に２ｍｍ〜５ｍｍ離れた位置を通り、新品時のタイヤのトレッド踏面のクラウン形状と相似な曲線の延長線とバットレス部のとの交点をバフ想定点としたとき、ショルダー部に開口するラグ溝の開口端がバフ想定点よりもタイヤ径方向外側に位置するようなラグ溝を有するとともに、バフ想定点位置にタイヤ周方向に沿って延びるリング状の凸部を設けた構成の更生用タイヤを提案している（例えば、特許文献１参照）。これにより、トレッドゴムの除去量の不均一を抑制することができるとともに、台タイヤの貼り付け面の寸法精度を向上させることができる。
【先行技術文献】
【特許文献】
【０００５】
【特許文献１】特開２００４−９８９５３号公報
【発明の概要】
【発明が解決しようとする課題】
【０００６】
前記特許文献１のように、ショルダー部に開口するラグ溝の開口端がバフ想定点よりもタイヤ径方向外側に位置するようなタイヤでは、ラグ溝がバフ研磨後に残ることを確実に防止することはできるが、トレッドクラウン部の曲率やベルト外面位置によっては、トレッドの溝底にバフラインがかかってしまう場合がある。この場合には、前述したように、スカイブ処理をするか、残溝がなくなるまでバフ研磨を継続してフラットな面を出す必要がある。
【０００７】
しかしながら、スカイブ処理は、残溝の大きさの程度に合わせて行うため、自動化が難しく、１本ずつ行うため、生産性が低下してしまうといった問題点がある。  
なお、タイヤ寿命を維持しようとしてトレッド厚さを厚くすることは、ブロック剛性が低下するので好ましくない。
また、リモールドによるリトレッドの場合、狙いの踏面Ｒとは別にバフ研磨後の形状を設定できるが、バフ研磨後の踏面Ｒを小さくすると、その分貼り付けるのに必要なトレッドゴムの体積が増えるので、好ましくない。
【０００８】
本発明は、従来の問題点に鑑みてなされたもので、台タイヤを作製する際に、トレッドの溝底にバフラインがかかることを確実に防止することのできる構成のタイヤと、タイヤの更生方法を提供することを目的とする。
【課題を解決するための手段】
【０００９】
本願の請求項１に記載の発明は、コードをゴムで被覆して成る少なくとも一層のベルトを備えたベルト層と、このベルトのタイヤ径方向向外側に設けられた、ショルダー部に開口するラグ溝を含む複数本の溝が形成されているトレッドとを備えたタイヤであって、タイヤ幅方向断面における前記ラグ溝の開口端が、トレッド踏面とのタイヤ径方向距離が最短になるベルト外面位置よりも２〜５ｍｍタイヤ径方向外側の点と、タイヤセンター部における最外層のベルトの位置よりも１〜５ｍｍタイヤ径方向外側の点とを通る単一の曲率を有し、かつ、前記トレッドのタイヤセンター側に設けられた溝の溝底よりもタイヤ径方向内側を通る曲線Ｃとタイヤ表面との交点よりもタイヤ径方向外側に設けられたことを特徴とするものである。
なお、タイヤセンター部は、図１のＣＬで示すタイヤの幅方向中心線を中心とした、幅がトレッド幅Ｔｗの６０％の領域を指す。
これにより、本発明のタイヤを更生する際には、前記曲線Ｃをバフラインとして摩耗したトレッドを削れば、前記ラグ溝の開口端やトレッドの溝底にバフラインがかかることがないので、トレッド幅の減少を大幅に低減することができるとともに、スカイブ処理を大幅に減らすことができる。
なお、トレッドに設けられた溝が２本しかない場合には、これら２本の溝をトレッドのタイヤセンター側に設けられた溝とする。
【００１０】
また、請求項２に記載の発明は、請求項１に記載のタイヤのトレッドが摩耗した際に、この摩耗したタイヤを更生する方法であって、前記曲線Ｃをバフラインとして設定し、前記摩耗したトレッドを前記バフラインまで削ってトレッド取付け面を有する台タイヤを形成する工程と、前記トレッド取付け面に加硫または未加硫のトレッドゴムを取付ける工程と、前記トレッドゴムが取付けられた台タイヤを加硫する工程とを備えたことを特徴とする。これにより、台タイヤの生産効率を向上させることができるとともに、新品タイヤと同等の性能を備えた更生タイヤを得ることができる。
【００１１】
なお、前記発明の概要は、本発明の必要な全ての特徴を列挙したものではなく、これらの特徴群のサブコンビネーションもまた、発明となり得る。
【図面の簡単な説明】
【００１２】
【図１】本実施の形態に係る空気入りタイヤの構成を示す断面図である。
【図２】実施例に用いたタイヤを示す図である。
【図３】実施例のタイヤの試験結果を示す表である。
【発明を実施するための形態】
【００１３】
以下、実施の形態を通じて本発明を詳説するが、以下の実施の形態は特許請求の範囲に係る発明を限定するものではなく、また、実施の形態の中で説明される特徴の組み合わせの全てが発明の解決手段に必須であるとは限らない。
【００１４】
図１は、本実施の形態に係る空気入りタイヤ（以下、タイヤという）１０の構成を示す断面図で、同図において、１１はビード部、１２はカーカス、１３はベルト層、１４はトレッド、１５はインナーライナーである。
ビード部１１はビードコア１１ａとビードフィラー１１ｂとを備えている。ビードコア１１ａは、タイヤ１０の半径方向内側の端部付近に埋設され、ビードフィラー１１ｂはビードコア１１ａのトレッド１４側に配置される。ビードコア１１ａとビードフィラー１１ｂとは、タイヤ１０の半径方向内側の端部付近にそれぞれ左右１対ずつ配置される。
カーカス１２は、タイヤ１０の骨格を成すプライで、１対のビードコア１１ａにトロイド状をなして跨るように設けられて、ビード部１１を内側から外側に向かって折り返し巻き上げて包み、ビード部１１のトレッド１４側で終端する。
インナーライナー１５は、カーカス１２のタイヤ径方向内側に設けられて、タイヤ１０の内面側を覆っている。
【００１５】
ベルト層１３は、トレッド１４とカーカス１２との間に設けられて、タイヤ径方向に積層される４枚のベルト１３ａ〜１３ｄを備える。
ベルト１３ａ〜１３ｄは、スチールコードもしくは有機繊維を撚ったコードが、赤道方向に対して２０°〜７０°の角度で交錯するように、かつ、互いに隣接するベルトのコードの延長方向が互いに交錯するように配置されている。
以下、ベルト１３ａ〜１３ｃを、タイヤ径方向内側に位置するベルトから順に、第１〜第３のベルトとし、トレッド１４側に位置するベルト１３ｄを最外層のベルトとする。
トレッド１４は、ベルト層１３のタイヤ径方向外側に配置されるゴム部材で、トレッド１４のタイヤ踏面側には、周方向溝１６ａ，１６ｂやショルダー部１７に開口するラグ溝１８を含む複数本の溝から成るトレッドパターンが形成されている。ここで、周方向溝１６ａはトレッド１４のタイヤセンター側に設けられた周方向溝で、周方向溝１６ｂはトレッド１４のタイヤ幅方向外側に設けられた周方向溝である。
【００１６】
本発明のタイヤ１０の特徴は、ショルダー部１７に開口するラグ溝１８の開口端１８ｋが、トレッド踏面とのタイヤ径方向距離が最短になるベルト外面位置よりも２〜５ｍｍタイヤ径方向外側にある点Ｐとタイヤセンター部における最外層のベルト１３ｄよりも１〜５ｍｍタイヤ径方向外側にある点Ｑとを通る単一の曲率を有し、かつ、トレッド１４のタイヤセンター側に設けられた周方向溝１６ａの溝底１６ｋよりもタイヤ径方向内側を通る曲線Ｃと、タイヤ１０の表面との交点Ｋよりもタイヤ径方向外側に設けられていることにある。
前記曲線Ｃは、具体的には円弧であり、曲線Ｃの曲率である円弧の半径Ｒは、特許文献１に記載された、新品時のタイヤのトレッド踏面のクラウン形状と相似な曲線Ｃ0の曲率である円弧の半径Ｒ0よりも大きく、かつ、周方向溝１６ａの溝底１６ｋよりもタイヤ径方向内側を通る。したがって、曲線Ｃ0がトレッド１４に形成された周方向溝１６ａ，１６ｂの溝底にかかってしまう場合でも、曲線Ｃは周方向溝１６ａ，１６ｂの溝底にはかからないので、この曲線Ｃをバフラインとすれば、溝残りのないフラットな面を得ることができる。
【００１７】
前記曲線Ｃを設定する際の点Ｐの位置を、ベルト外面位置よりも２〜５ｍｍタイヤ径方向外側としたのは、５ｍｍを超えると、溝が深いときに溝底までバフがけできない場合があるからである。また、２ｍｍ未満では、最外層のベルト１３ｄを傷つける恐れがあるからである。
一方、前記曲線Ｃを設定する際の点Ｑの位置を、タイヤセンター部における最外層のベルト１３ｄよりも１〜５ｍｍタイヤ径方向外側としたのは、５ｍｍを超えると、曲線Ｃの半径Ｒが小さくなって、溝が深いときに溝底までバフがけできない場合があるだけでなく、新たなトレッドを貼り付けたときに、トレッドのゴム層が厚くなって放熱が悪くなるからである。また、１ｍｍ未満では、最外層のベルト１３ｄを傷つける恐れがあるからである。
このように、ショルダー部１７に開口するラグ溝１８の開口端１８ｋを前記曲線Ｃとタイヤ１０の表面との交点Ｋよりもタイヤ径方向外側に設けたタイヤ１０を作製すれば、タイヤ１０の更生が必要になった場合には、不要な追加のバフ研磨をすることなく、フラットな面を出すことができるので、台タイヤを効率よく作製することができる。
【００１８】
次に、タイヤ１０の更生方法について説明する。
トレッド１４の摩耗によりタイヤ１０の更生が必要になった場合には、前記曲線Ｃをバフラインとして摩耗したトレッド１４をバフ研磨して取り除いて台タイヤを作製する。
バフ研磨の終了の目安としては、バフがけによりラグ溝１８が消失してから継続するバフ研磨の深さを設定しておけばよいが、予め、前記曲線Ｃとタイヤ１０の表面との交点Ｋの位置に、タイヤ周方向に延びる凸部もしくは凹部を形成しておき、この凸部もしくは凹部をバフ研磨終了位置の目安とすれば、台タイヤのトレッド貼り付け面の寸法精度を更に向上させることができる。
【００１９】
台タイヤの作製後には、台タイヤのトレッド面に新たなトレッドを貼り付ける。
台タイヤのトレッド面に新たなトレッドを貼り付けて更生タイヤを作製する方法としては、予めトレッドパターンの形成された加硫ゴム（プレキュアトレッド）を台タイヤのトレッド面に貼り付けた後、加硫缶に投入して加熱し、プレキュアトレッドと台タイヤとを加硫接着する「プレキュア製法」と、トレッドパターンの形成されていない未加硫のトレッドゴムを台タイヤのトレッド面に貼り付けた後、これを加硫金型に投入し、トレッドゴムを加硫するとともにトレッド表面にトレッドパターンを形成する「リモールド製法」とがある。
【００２０】
プレキュア製法によるリトレッドでは、更生タイヤのトレッド幅とトレッド踏面のＲとは、バフ研磨後の形状により決まる。本発明のタイヤ１０は、バフ研磨後にトレッド１４に溝底が残らないので、リトレッドのトレッド幅を新品タイヤと同程度に設定することができる。したがって、新品タイヤと同等の性能（寿命やブロック剛性など）を発現することのできる更生タイヤを得ることができる。
リモールド製法によるリトレッドでは、貼り付けるトレッドゴムの厚さを変更することで、狙いの踏面の曲率とは別にバフ研磨後の形状を設定できるが、本発明のタイヤ１０では、バフラインの曲率Ｒを大きく設定できるので、トレッドゴムの厚さを変更する必要がない。したがって、リモールド時に使用するゴム量を低減できるので、廃棄物の低減とコストの低減とを図ることができる。
【００２１】
このように、本実施の形態では、タイヤ１０のショルダー部１７に開口するラグ溝１８の開口端１８ｋの位置を、トレッド踏面とのタイヤ径方向距離が最短になるベルト外面位置よりも２〜５ｍｍタイヤ径方向外側にある点Ｐと、タイヤセンター部における最外層のベルト１３ｄよりも１〜５ｍｍタイヤ径方向外側にある点Ｑとを通り、かつ、トレッド１４のタイヤセンター側に設けられた周方向溝１６ａの溝底１６ｋよりもタイヤ径方向内側を通る曲線Ｃと、タイヤ１０の表面との交点Ｋよりもタイヤ径方向外側に設けたので、トレッド１４の摩耗によりタイヤ１０の更生が必要になった場合には、前記曲線Ｃをバフラインとして摩耗したトレッド１４をバフ研磨して取り除いて台タイヤを作製すれば、ベルト層１３を傷つけることなく、溝残りのないフラットな面を得ることができるので、台タイヤを効率よく作製することができる。
【実施例】
【００２２】
図２に示すような、本発明による空気入りタイヤ（本発明）のトレッドをバフ研磨して台タイヤにプレキュアトレッドを加硫接着して更生タイヤを作製し、タイヤ寿命（ライフ）とブロック剛性とを調べた結果を図３の表に示す。
また、比較のため、ショルダー部１７に開口するラグ溝１８の開口端１８ｋが点Ｋの位置よりもタイヤ径方向外側にあるタイヤ（タイヤ１，２）と、点Ｑの位置とタイヤセンター部における最外層のベルト１３ｄとの距離が５ｍｍを超えているタイヤ（タイヤ５）と１ｍｍ未満のタイヤ（タイヤ６）についても更生タイヤを作製し、タイヤ寿命とブロック剛性とを調べた結果も併せて記した。タイヤ１は新品タイヤで、タイヤ４が本発明によるタイヤを更生したタイヤである。
なお、図２において、ａは点Ｋからラグ溝１８の開口端１８ｋまでの距離で、タイヤ径方向外側を（＋）としている。ｂは周方向溝１６ａの溝深さで、ｃはフラット面を出すために行ったバフ研磨により減少したトレッド幅の大きさの半分を示す。また、ｈは、タイヤセンター部における最外層のベルト１３ｄから点Ｑまでの距離で、タイヤ径方向外側を（＋）としている。
【００２３】
タイヤ寿命は、試験車両に各タイヤを装着して、８５ｋｍ/ｈで走行させたとき、摩耗率が７０％になるまでの時間により評価した。評価結果は、新品タイヤを１００とした指数で表した。数字が大きいほど寿命が長い。なお、このときのタイヤサイズは、１１Ｒ２２．５で、タイヤ内圧は９００ｋＰａである。
ブロック剛性は、摩耗率が３０％のときのブロックの欠け数により評価した。評価結果は、新品タイヤを１００とした指数で表した。数字が大きいほどブロック剛性が高い。
【００２４】
図３の表から明らかなように、本発明のタイヤ（タイヤ４）は、スカイブ処理が必要でないばかりか、タイヤ寿命もブロック剛性も新品タイヤと同等であることが確認された。
これに対して、タイヤ１，２では、スカイブ処理が必要なだけでなく、トレッド幅が小さくなってしまい、寿命もしくはブロック剛性が低下していることがわかった。
また、タイヤ５では、トレッド厚みの増加を防止するためのスカイブ処理が必要であり、タイヤ６では、ベルト面の露出を修理するためのスカイブ処理が必要であった。
これにより、点Ｑの位置は、タイヤセンター部における最外層のベルトの位置よりも１〜５ｍｍの範囲にする必要があることが確認された。
【００２５】
以上、本発明を実施の形態を用いて説明したが、本発明の技術的範囲は前記実施の形態に記載の範囲には限定されない。前記実施の形態に、多様な変更または改良を加えることが可能であることが当業者にも明らかである。そのような変更または改良を加えた形態も本発明の技術的範囲に含まれ得ることが、特許請求の範囲から明らかである。
【産業上の利用可能性】
【００２６】
このように、本発明のタイヤは、トレッドが摩耗したときに容易にかつ効率よく更生することができるので、更生タイヤを安価で提供することができる。
【符号の説明】
【００２７】
１０  空気入りタイヤ、１１  ビード部、１１ａ  ビードコア、
１１ｂ  ビードフィラー、１２  カーカス、１３  ベルト層、１３ａ〜１３ｄ  ベルト、１４  トレッド、１５  インナーライナー、１６ａ，１６ｂ  周方向溝、
１７  ショルダー部、１８  ラグ溝、１８ｋ  ラグ溝の開口端。
【図１】
2011025853.tif 000003
【図２】
2011025853.tif 000004
【図３】
2011025853.tif 000005